(57)【要約】　　　（修正有）【課題】　容積の異なる容器を必要に応じ適宜簡便に積み重ねて使用する段重ね容器の提供。【解決手段】　底部を形成する蓋体１、蓋体を下面部で脱着して小型容器を形成する胴体２、胴体の上面部で下面部は上記の上面部と脱着すると共に、上面部は前記胴体の外径より大ならしめた別の胴体を脱着可能ならしめる中間接合体３とからなることを特徴とする。胴体容積は凡そ５０ｃｍ３〜１５００ｃｍ３となされる。【選択図】　　　図１
0003099897.tif 000002
【実用新案登録請求の範囲】
【請求項１】
　底部を形成する蓋体、該蓋体を下面部で脱着して小型容器を形成する胴体、該胴体の上面部で下面部は上記の上面部と脱着すると共に、上面部は前記胴体の外径より大ならしめた別の胴体を脱着可能ならしめる中間接合体とからなることを特徴とした段重ね容器。
【請求項２】
　蓋体は円板体、胴体は円筒体に作成し、且つ相互の脱着手段は雄ネジと雌ネジの螺合手段となしたことを特徴とする請求項１記載の段重ね容器。
【請求項３】
　硝子或いは合成樹脂製となし、胴体容積は５０ｃｍ３〜１５００ｃｍ３となしたことを特徴とする請求項１又は２記載の段重ね容器。
【請求項４】
　透明材質のものを使用し、くわがた虫の養殖使用となしたことを特徴とする請求項１，２又は３記載の段重ね容器。
【考案の詳細な説明】
【技術分野】
【０００１】
　本考案は、上方に向かって順次容積が拡大されるものとなす段重ね容器に関する。
【背景技術】
【０００２】
　一定容積の容器を反転して使用したり、或いは一部を底なしにして積み重ねたりすることは行われている。しかしながら、これらは何れも同一内径や同一外径のものの分解や積み重ねである。
【特許文献１】特許第２９３１５５０号
【考案の開示】
【考案が解決しようとする課題】
【０００３】
　本考案は、容積の異なる容器を必要に応じ適宜簡便に積み重ねて使用する段重ね容器を市販に供せんとするものであり、例えばくわがた虫の養殖にさいし、その幼虫が成長する過程で容器から取り出して他の大きな容器へと移し代えたりすることなく、当初の比較的小さな容器からその成長に伴い上方へ向けて拡大径の容積が順次積み重ねて使用可能にする提案である。
【課題を解決するための手段】
【０００４】
　本考案は、底部を形成する蓋体、該蓋体を下面部で脱着して小型容器を形成する胴体、該胴体の上面部で下面部は上記の上面部と脱着させると共に、上面部は前記胴体の外径より大ならしめた別の胴体を脱着可能ならしめる中間接合体とから構成することを特徴とする。
【０００５】
　このさい、その使用素材は硝子や合成樹脂などで蓋体は円板体、胴体は円筒体に作成し、且つ相互の脱着手段は雄ネジと雌ネジの螺合手段となすのであり、くわがた虫など昆虫の養殖用使用では透明材質にして外方から内部が見える状態のものにする。而して、その容積は凡そ５０ｃｍ３〜１５００ｃｍ３程度のものとなされるのである。
【考案の効果】
【０００６】
　本考案品は小さい容積の容器の上方へ適宜必要容積の容器を順次積み重ねて使用するものとなすのであり、くわがた虫等の昆虫養殖に於ける如く幼虫からの成長過程で容器から取り出して新たな容器に移し変えたりする手間やそのために昆虫に与える環境変化で生ずるストレス問題を解消させ、良好な成育条件が得られる上で寄与すること大なるものとなる。
【考案を実施するための最良の形態】
【０００７】
　蓋体、胴体、中間接合体は幾つかの異なる寸法のものを用意することにより、適宜必要な容積のものを簡便な使用態様で可能にすることができる。
【実施例１】
【０００８】
　図１は本考案品の分解部品図であって、１は底部を形成する蓋体である。ここに蓋体１は円板状の鍔体１ｂと、その片側内方上に雌ネジの刻設された突起体１ｂとからなる。
【０００９】
　２は胴体であって、円筒状をなした下面部内周には上記鍔体１ｂの突起体１ｂの嵌入螺合を可能ならしめる雌ネジ２ａを刻設したものとなしてあり、上面部には突起体２ｂを形成すると共に、その外周面には次述する中間接合体の雌ネジと螺合止着させる雄ネジｍの刻設されたものとなしてある。
【００１０】
　３は中間接合体であって、鍔体３ａを挟んで下面部には上記胴体２の突起体２ｂの雄ネジｍと螺合する雌ネジｎの刻設された突起体３ｂを備え、且つ上面部には上記胴体２の内径Ｒ１より大なる内径Ｒ２を有するものとなした突起体３ｃを形成し、該突起体３ｃの外周には上記胴体２よりその内容積を大ならしめた胴体４’が螺合止着されるようになさしめるのである。
【００１１】
　図２は上記の各部品を順次一体化させた全体斜視図である。該図は容積の異なる２個の胴体２，４を取付けた例であるが、３個、４個と順次上方へ容積を大ならしめた容積の積み重ねを可能にするものである。図３は中間部材３’を介して３個目の胴体５を取付けた例である。
【００１２】
　本考案に係る上記容器の使用例について説明すると、最初の比較的小となした胴体２内には人工土壌を充填すると共に、くわがた虫の幼虫を入れるのであり、くわがた虫の幼虫は該土壌中に混ぜてある餌を食べながら成長する。この状態では透明な容器を透して外部から観察できるのであり、くわがた虫の幼虫が容器の上方に到達する時分には、その上方に中間接合体３を取付けると共に、同様に内部へ餌を混ぜ合わせた人工土壌を填入させるのであり、これにより幼虫は上方に向かって餌を食べながら成長して行くのである。
【００１３】
　而して、中間接合体３の上方には当初の胴体２より筒径を大ならしめた第２の胴体４が取付けされ、且つ該胴体４内には同様に内部へ餌を混ぜ合わせた人工土壌を填入させたものとなすのであり、くわがた虫の幼虫は上記の通り上方へ向かって餌を食べながら成虫へと生長して行くものとなる。
【００１４】
　本考案品の使用によると、幼虫の成長過程に応ずる餌量や容器の大きさを、昆虫の居住環境を何ら変えることなく自然の状態に進行させることができるのであり、これは従来に於ける昆虫の成長過程で適宜容器から取り出して別の容器へ移し代えたりする手間などが要らないものとなるのであり、またこのことは昆虫の移し代えによる環境の破壌に伴うストレスで、その成長が一時的に停止したり病弱化させたりする問題を生ぜしめたりするものとならない。
【００１５】
　本考案に係る蓋体、胴体、中間接合体などは必要な規格による大きさ寸法のものを適宜に多数作成しておくのであり、これにより要求に応ずる必要な容積の容器を随時作成し、上記の如く簡便に対応させて使用可能ならしめることができる。
【００１６】
　上記実施例では中間接合体３を使用し、上方へ向かって容積を順次大ならしめる段重ねを説明したが、そのさい中間接合体３を使用することなく、即ち必要に応じ同一胴体を再び段重ねしたりすることも差し支えない。図４は図２に於ける胴体４の２個を段重ねした使用例である。
　なお、上記の使用例で胴体容器の材質を透明にしたり、非透明な材質にしたりして使用する。
【００１７】
　使用する材質は硝子や合成樹脂材とするのであり、透明な材質の使用により成長状態の観察が容易となるものである。なお、遮光を必要とする場合は周辺に遮蔽物を置いたり、容器外周に遮光テープを貼着させたりするのである。
【００１８】
　上記実施例では、くわがた虫の養殖用に使用する例について説明したが、これに限るものではない。
【図面の簡単な説明】
【００１９】
【図１】本考案品の部品斜視図である。
【図２】上記部分の一体化斜視図である。
【図３】胴体を３個段重ねした斜視図である。
【図４】他の例である。
【符号の説明】
【００２０】
　１　　　蓋体
　２　　　胴体
　３　　　中間接合体
【図１】
0003099897.tif 000003
【図２】
0003099897.tif 000004
【図３】
0003099897.tif 000005
【図４】
0003099897.tif 000006